(57)【要約】  本発明は、人体の胆管や膵管などにおける腫瘍または疾病により狭くなった病変部位に挿入して病変部位を広げるプラスチックステントに関し、特に、形状を記憶するプラスチック管体であって上、下端に体液の流入と流出のために流入孔（１１）、流出孔（１２）を有する本体（１０）を形成するが、前記本体（１０）の上部には、体内の設置位置からの離脱が防止されるように支持するためにスパイラル状の上部支持部（２０）を形成し、前記本体の下部には、円形に巻いて折り曲げた形状の下部排出部（３０）を形成することで、前記上部支持部（２０）が病変部位への挿設の際に組織を刺して組織の損傷または穿孔を生じさせるおそれを防止し、内部組織との接触面積を最大化して支持力を向上させることで、設置状態での位置ずれを効果的に防止するうえ、下部排出部３０も穿孔のおそれおよび飲食物などによる下部詰まりを防止し且つ体液の円滑な流通を提供することにその特徴がある。【選択図】図２
2018501824.tif 000002
【特許請求の範囲】
【請求項１】
形状を記憶するプラスチック管体であって上、下端に体液の流入と流出のために流入孔（１１）、流出孔（１２）を有する本体（１０）を形成し、
前記本体（１０）の上部には、体内の設置位置からの離脱が防止されるように支持するためにスパイラル状の上部支持部（２０）を形成し、前記本体の下部には、円形に巻いて折り曲げた形状の下部排出部（３０）を形成してなることを特徴とする、プラスチックステント。
【請求項２】
形状を記憶するプラスチック管体であって上、下端に体液の流入と流出のために流入孔（１１）、流出孔（１２）を有する本体（１０）を形成し、前記本体（１０）の上部には、体内の設置位置からの離脱が防止されるように支持するためにスパイラル状の上部支持部（２０）を形成し、前記本体の下部には、直線的に折り曲げた形状の下部排出部（３０）を形成してなることを特徴とする、プラスチックステント。
【請求項３】
形状を記憶するプラスチック管体であって上、下端に体液の流入と流出のために流入孔（１１）、流出孔（１２）を有する本体（１０）を形成し、
前記本体（１０）の上部には、体内の設置位置からの離脱が防止されるように支持するためにスパイラル状の上部支持部（２０）を形成し、前記本体の下部には、ストレート形状の下部排出部（３０）を形成してなることを特徴とする、プラスチックステント。
【請求項４】
前記スパイラル状の上部支持部（２０）は、上部が狭く下方に行くほど広くなる三角形の形状に形成して構成されたことを特徴とする、請求項１、２または３に記載のプラスチックステント。
【請求項５】
前記スパイラル状の上部支持部（２０）は、上部が広く下方に行くほど狭くなる逆三角形の形状に形成して構成されたことを特徴とする、請求項１、２または３に記載のプラスチックステント。
【請求項６】
前記スパイラル状の上部支持部（２０）は、上部が狭く中央は広く下部は狭くなる菱形の形状に形成して構成されたことを特徴とする、請求項１、２または３に記載のプラスチックステント。
【請求項７】
前記上部支持部（２０）と前記下部排出部（３０）には、体液の円滑な流入と流出のために、上、下部に向かって貫いた補助流入孔（２１）、補助流出孔（３２）を少なくとも一つさらに形成して構成されたことを特徴とする、請求項１、２または３に記載のプラスチックステント。
【請求項８】
前記補助流入孔（２１）と前記補助流出孔（３２）は円形孔、楕円形孔および長孔のいずれかに形成して構成されたことを特徴とする、請求項７に記載のプラスチックステント。
【請求項９】
前記上部支持部（２０）と前記本体（１０）との間にも補助流入孔（２２）をさらに形成して構成されたことを特徴とする、請求項１、２または３に記載のプラスチックステント。
【請求項１０】
前記本体（１０）の上部支持部（２０）と下部排出部（３０）は、先端部分を丸めてラウンド突出部（１３）を形成して構成されたことを特徴とする、請求項１、２または３に記載のプラスチックステント。
【請求項１１】
前記本体（１０）は螺旋形構造（１０ａ）で形成して構成されたことを特徴とする、請求項１、２または３に記載のプラスチックステント。
【発明の詳細な説明】
【技術分野】
【０００１】
本発明は、人体の胆管や膵管などにおける、腫瘍または疾病により狭くなった病変部位に挿入して病変部位を広げるプラスチックステントに係り、特に、形状を記憶するプラスチック管体からなる本体の上部にスパイラル状の上部支持部を形成することで、病変部位への挿設の際に組織を刺して損傷または穿孔を生じさせるおそれを防止し、内部組織との接触面積を最大化して支持力を向上させることで、設置状態での位置ずれを効果的に防止するうえ、下部に下部排出部を形成することで、飲食物などによる下部詰まりを防止し且つ体液の円滑な流通を提供する、プラスチックステントに関する。
【背景技術】
【０００２】
一般に、胆管、膵管またはその他の人体内部などにおいて、腫瘍または疾病により管路が狭くなって体液の流通が円滑ではない問題が時々発生した。
【０００３】
このような場合にプラスチックステントを使用するが、前記プラスチックステントは、胆管、膵管またはその他の人体内部などの狭くなった管路を広げるので、体液の流通を円滑にする。
【０００４】
従来のプラスチックステントは、図１に示すように、形状を記憶するプラスチック管体であって上、下端に体液の流入と流出のために流入孔１ａ、流出孔１ｂを有する本体１を形成するが、前記本体１の上部と下部に豚の尾状の屈曲部２、２’を形成することで、前記屈曲部が、人体内部の管路に支持されて設置状態での離脱を防止するようにした。
【０００５】
また、前記屈曲部２、２’には補助流入孔２ａと補助流出孔２’ａを形成することにより、体液の流入と流出を補助するようにした。
【０００６】
しかし、前述した従来のプラスチックステントは、前記本体１の上、下部の屈曲部２、２’を一字状にして、内部にガイドワイヤーまたはカテーテルを挿入した状態で胆管や膵管における、腫瘍または疾病により管路が狭くなった病変部位に挿入するのである。
【０００７】
このように挿入されたプラスチックステントは、形状記憶素材からなっているため、本体１の上、下部の屈曲部２、２’が一字状からさらに豚の尾状に復元されながら、胆管または膵管の管路に支持されて設置状態を維持するのはもとより、腫瘍または疾病により狭くなった管路を広げて本体の上、下端の流入孔１ａ、流出孔１ｂ、並びに、屈曲部２、２’の補助流入孔２ａおよび補助流出孔２’ａを介して体液を通過させることにより、流通可能になるのである。
【０００８】
しかし、前述した従来のプラスチックステントは、次の問題点があった。
【０００９】
第一に、前記ステントの上、下部の屈曲部２、２’を胆管または膵管の管路から挿入した後、さらに豚の尾状に復元される過程中に、屈曲部２、２’の先端が胆管または膵管の管路組織を刺して組織を損傷または穿孔させるという問題点があった。
【００１０】
第二に、前記ステントの上、下部の屈曲部２、２’は、単に豚の尾状に形成されて胆管または膵管の管路内で接触面積が少なくて支持力が弱いため、設置状態を強固に維持することができなくなるので、病変部位から容易に離脱するという問題点があった。
【００１１】
特に、前記ステントを胆管または膵管に設置した状態で離脱が発生する場合に、ステントの下部が十二指腸側に突き出ながらステントの下端が十二指腸を刺して穿孔させる問題点を誘発することもある。
【００１２】
第三に、前記ステントを胆管または膵管の管路内に挿設する際に、上、下端の流入孔１ａ、流出孔１ｂ、補助流入孔２ａおよび補助流出孔２’ａを介して体液を通過させるが、前記補助流入孔２ａおよび補助流出孔２’ａが豚の尾状の屈曲部２、２’の側方（管路方向ではなく、管路の側方向）に形成されるため、体液の流通が円滑でなくてステントの下端流出孔１ｂが十二指腸を通る飲食物などによって詰まる場合に体液の流通がさらに困難になるという問題点があった。
【発明の概要】
【発明が解決しようとする課題】
【００１３】
本発明は、前述した従来技術の諸問題を解決するためになされたもので、形状を記憶するプラスチック管体からなる本体の上部にスパイラル状の上部支持部を形成することで、病変部位への挿設の際に組織を刺して組織を損傷または穿孔させるおそれを防止し、内部組織との接触面積を最大化して支持力を向上させることで、設置状態での位置ずれを効果的に防止することはもとより、下部には円形に巻いて折り曲げた形状、直線的に折り曲げた形状、またはストレート形状の下部排出部を形成することで、飲食物などによる下部詰まりを防止し且つ体液の円滑な流通を提供することを目的とする。
【００１４】
また、本発明は、前記上部支持部、下部排出部、および上部支持部と本体との間に補助流入孔、補助流出孔をさらに形成して体液の流入、流出をより円滑に提供することを目的とする。
【００１５】
また、本発明は、前記本体も螺旋形構造で形成して設置状態での位置ずれをより効果的に防止するようにすることを目的とする。
【００１６】
また、本発明は、前記本体の上部支持部と下部排出部の先端部分を丸めてラウンド突出部として形成することで、病変部位への挿設の際に組織を刺して組織を損傷または穿孔させるおそれをさらに防止するようにすることを目的とする。
【課題を解決するための手段】
【００１７】
このような本発明は、形状を記憶するプラスチック管体であって上、下端に体液の流入と流出のために流入孔、流出孔を有する本体を形成するが、前記本体の上部には、体内の設置位置からの離脱が防止されるように支持するためにスパイラル状の上部支持部を形成し、前記本体の下部には円形に巻いて折り曲げた形状、直線的に折り曲げた形状、またはストレート形状の下部排出部を形成して構成することを特徴とする。
【００１８】
前記スパイラル状の上部支持部は、上部が狭く下方に行くほど広くなる三角形、上部が広く下方に行くほど狭くなる逆三角形、または、上部が狭く中央は広く下部は狭くなる菱形の形状に形成して構成することを特徴とする。
【００１９】
前記上部支持部と前記下部排出部には、体液の円滑な流入と流出のために、上、下部に向かって貫いた補助流入孔、補助流出孔を少なくとも一つさらに形成して構成することを特徴とする。
【００２０】
前記補助流入孔と前記補助流出孔は、円形孔、楕円形孔および長孔のいずれかに形成して構成することを特徴とする。
【００２１】
前記上部支持部と本体との間にも補助流入孔をさらに形成して構成することを特徴とする。
【００２２】
前記本体の上部支持部と下部排出部は、先端部分を丸めてラウンド突出部を形成して構成することを特徴とする。
【００２３】
前記本体は螺旋形構造で形成して構成することを特徴とする。
【発明の効果】
【００２４】
本発明は、形状を記憶するプラスチック管体からなる本体の上部に逆三角形、三角形または菱形のようなスパイラル状の上部支持部を形成することで、病変部位への挿設の際に組織を刺して組織の損傷や穿孔を生じさせるおそれを防止し、内部組織との接触面積を最大化して支持力を向上させることで、設置状態での位置ずれを効果的に防止するうえ、下部には円形に巻いて折り曲げた形状、直線的に折り曲げた形状、またはストレート形状の下部排出部を形成することで、飲食物などによる下部詰まりを防止し且つ体液の円滑な流通を提供するので、使用効率性および使用安全性に優れた効果を奏する。
【００２５】
その他に、前記上部支持部、前記下部排出部、および上部支持部と本体との間に補助流入孔、補助流出孔をさらに形成して体液の流入、流出をさらに円滑に提供し、また、前記本体も螺旋形構造で形成して設置状態での位置ずれをより効果的に防止することはもとより、前記本体の上部支持部と下部排出部の先端部分を丸めてラウンド突出部として形成することで、病変部位への挿設の際に組織を刺して組織の損傷や穿孔を生じさせるおそれをさらに防止するなどの効果を奏する。
【図面の簡単な説明】
【００２６】
【図１】従来のプラスチックステントを示す正面図である。
【図２】本発明のステントの一実施例を示す斜視図である。
【図３】図２の正面図である。
【図４】図２における下部排出部の他の実施例が適用された斜視図である。
【図５】図２における下部排出部の他の実施例が適用された斜視図である。
【図６】図２における上部支持部の他の実施例が適用された正面図である。
【図７】図２における上部支持部の他の実施例が適用された正面図である。
【図８】本発明のステントの補助流入孔、補助流出孔の様々な実施例を示す要部平面図である。
【図９】本発明のステントの補助流入孔、補助流出孔の様々な実施例を示す要部平面図である。
【図１０】本発明のステントの補助流入孔、補助流出孔の様々な実施例を示す要部平面図である。
【図１１】本発明のステントの上端と下端の他の実施例を示す要部正面図である。
【図１２】本発明のステントの別の実施例を示す斜視図である。
【図１３】本発明のステントの別の実施例を示す正面図である。
【図１４】本発明のステントの設置使用状態を示す要部正面図である。
【図１５】本発明のステントの設置使用状態を示す要部正面図である。
【発明を実施するための形態】
【００２７】
以下、添付図面を参照して、前述した本発明の好適な実施例を具体的に説明する。
【００２８】
本発明のプラスチックステントは、人体の胆管や膵管などにおける、腫瘍または疾病により狭くなった病変部位に挿入して病変部位を広げることで体液の流通を円滑にするためのものである。
【００２９】
つまり、図２乃至図１３に示すように、形状を記憶するプラスチック管体であって上、下端に体液の流入と流出のために流入孔１１、流出孔１２を有する本体１０を形成するが、前記本体１０の上部には、体内の設置位置からの離脱が防止されるように支持するためにスパイラル状の上部支持部２０を形成し、前記本体の下部には、円形に巻いて折り曲げた形状の下部排出部３０を形成してなる。
【００３０】
前記スパイラル状の上部支持部２０は、螺旋状に巻き上がるため、胆管や膵管などの内部組織との接触面積を最大化して支持力を高めるが、図３に示すように、上部が狭く下方に行くほど広くなる三角形の形状に形成し、或いは、図６に示すように、上部が広く下方に行くほど狭くなる逆三角形の形状に形成し、或いは、図７に示すように、上部が狭く中央は広く下部は狭くなる菱形の形状に形成し、或いはその他の様々な形状のスパイラル状に形成することができる。
【００３１】
また、前記下部排出部３０も、図２に示すように円形に巻いて折り曲げた形状の他にも、図４に示すようにストレート形状、または、図５に示すように直線的に折り曲げた形状に多様に形成することができるが、前記ストレート形状よりも直線的に折り曲げた形状或いは円形に巻いて折り曲げた形状に形成する場合に、下部流出孔１２の目詰まりを最小限に抑えることができるのである。
【００３２】
前記上部支持部２０と下部排出部３０には、体液の円滑な流入と流出のために、上、下部に向かって貫いた補助流入孔２１、補助流出孔３２を少なくとも一つさらに形成して構成することができる。
【００３３】
この際、前記補助流入孔２１と補助流出孔３２は、円形孔や楕円形孔、長孔などの様々な形態に形成することができる。
【００３４】
また、前記上部支持部２０と本体１０との間にも、図１２に示すように補助流入孔２２をさらに形成することが好ましいが、これは、スパイラル状の上部支持部２０において、上部支持部に形成された補助流入孔２１から流入せずに通り過ぎた過度の水分が上部支持部２０と本体１０との間から流入するようにするためである。
【００３５】
前記本体１０の上部支持部２０と下部排出部３０は、図１１に示すように、ガイドワイヤーやカテーテルを挿入することができる流入孔１１と流出孔１２を除いた先端部分を丸めて体内組織の穿孔または損傷防止のためにラウンド突出部１３を形成して構成される。
【００３６】
また、前記本体１０も、図１３に示すように、設置位置で設置された状態を維持するように螺旋形構造１０ａで形成して構成することができる。
【００３７】
未説明符号として、１００は肝臓、２００は胆嚢、２１０は胆管、２２０は病変部位、３００は膵臓、４００は十二指腸をそれぞれ示す。
【００３８】
以下、上述のように構成された本発明の作動および作用について説明する。
【００３９】
まず、誘導ワイヤー（ガイドワイヤー）を狭くなった病変に通過させて位置させた後、反対側の誘導ワイヤーにプラスチックステントの本体１０を通過させて挿入し、押しカテーテル（ｐｕｓｈ  ｃａｔｈｅｔｅｒ）で押して誘導ワイヤーに沿って病変部位に到達するように挿設し、或いは、押しカテーテルにプラスチックステントの本体１０を挿入した状態（カテーテルにプラスチックステントの本体を予め装着した状態）で押しカテーテルを誘導ワイヤーに沿って病変部位に到達するように挿設するのである。
【００４０】
つまり、前記プラスチックステントの本体１０を、図１４及び図１５に示すように、人体の胆管や膵管などにおける、腫瘍または疾病により狭くなった病変部位１２０に挿入して設置する。
【００４１】
こうして、人体の狭くなった病変部位２２０に挿入されたプラスチックステントの本体１０によって体液の流通可能な通路を確保することはもとより、前記本体１０の上、下部の上部支持部２０と下部排出部３０が形状記憶された元の形状に復元されることにより設置状態を維持することができるのである。
【００４２】
特に、前記本体１０の上部支持部２０は、スパイラル状、例えば、図３に示すように上部が狭く下方に行くほど広くなる三角形の形状に形成し、或いは図６に示すように上部が広く下方に行くほど狭くなる逆三角形の形状に形成し、或いは図７に示すように上部が狭く中央は広くさらに下部は狭くなる菱形の形状に形成し、或いはその他の様々な模様のスパイラル状に形成するため、上部支持部２０が胆管や膵管の内部組織との接触面積を最大化することはもとより、四方にテンション支持されて支持力を高めるので、設置状態を強固に維持するのである。
【００４３】
また、前記上部支持部２０は、胆管や膵管などにおける腫瘍または疾病により狭くなった病変部位１２０への挿設の際に広げた状態で挿入し、設置完了した後、螺旋状に巻かれながらスパイラル状に復元されるので、上部支持部２０の先端が胆管や膵管などの内部組織を刺さなくなり、胆管や膵管の組織が損傷または穿孔する従来の問題を防止する。
また、前記上部支持部２０が病変部位１２０で設置状態を強固に維持するので、下部排出部３０が従来のように十二指腸４００へ突出して下部排出部３０の先端が十二指腸４００を穿孔させるおそれを防止するのである。
【００４４】
それだけでなく、前記下部排出部３０は、ストレート形状、円形に巻いて折り曲げた形状、直線的に折り曲げた形状などに多様に形成することにより、下部支持部３０が十二指腸４００から突出する場合でも下部支持部３０の先端が内部組織と接触しないため、組織が損傷または穿孔する問題を防止することはもとより、前記十二指腸を通過する飲食物が下部排出部の流出孔１２へ逆流して流出孔１２が詰まってしまう問題を防止するので、体液の円滑な流通を確保するのである。
【００４５】
また、本発明のプラスチックステントは、前記本体１０の上部支持部２０と下部排出部３０に円形孔や楕円形孔、長孔などの様々な形状に形成された補助流入孔２１、補助流出孔３２を側方ではなく、上、下部に向かって複数貫通形成するので、胆管や膵管内の体液が円滑に流入、流出するのである。
【００４６】
つまり、前記本体１０の上、下端部の流入孔１１、流出孔１２が詰まっても、補助流入孔２１、補助流出孔３２によって体液の流入、流出を円滑に提供するのである。
【００４７】
その他に、前記上部支持部２０と本体１０との境界にも補助流入孔２２をさらに形成することで、スパイラル状の上部支持部２０における補助流入孔２１から全て流入せずに通り過ぎた体液を上部支持部２０と本体１０との間の補助流入孔２２から流入させるため、体液の流通をさらに円滑に提供する。
【００４８】
また、本発明のプラスチックステントは、本体１０自体も螺旋形構造１０ａで形成することで、胆管や膵管などの病変部位に設置された状態でテンション支持するので、設置位置の離脱をさらに防止して強固な設置状態を維持するのである。
【００４９】
前記プラスチックステントの本体１０は、上、下端部の先端部分が流入孔１１と流出孔１２を除いた部分を丸めてラウンド突出部１３を形成しているため、人体内部に挿入したり分離回収したりするときに人体内部の組織と接触しても、従来の如く組織が損傷または穿孔するおそれを防止することはもとより、患者の苦痛を最小限に抑えることができる。
【００５０】
したがって、本発明のプラスチックステントは、形状を記憶するプラスチック管体からなる本体の上部に三角形、逆三角形または菱形のようなスパイラル状の上部支持部を形成することで、病変部位への挿設の際に組織を刺して組織の損傷または穿孔を生じさせるおそれを防止し、内部組織との接触面積を最大化して支持力を向上させることで、設置状態での位置ずれを効果的に防止することはもとより、下部には円形に巻いて折り曲げた形状、直線的に折り曲げた形状、またはストレート形状の下部排出部を形成することで、飲食物などによる下部詰まりを防止し且つ体液の円滑な流通を提供する。
【００５１】
特に、前記上部支持部、下部排出部、および上部支持部と本体との間に補助流入孔、補助流出孔をさらに形成することで、体液の流入、流出をさらに円滑に提供し、前記本体の上部支持部と下部排出部の先端部分を丸めてラウンド突出部として形成することで、病変部位への挿設の際に組織を刺して組織の損傷または穿孔を生じさせるおそれをさらに防止する。
【符号の説明】
【００５２】
１０    本体
１１    流入孔
１２    流出孔
１３    ラウンド突出部
２０    上部支持部
２１、２２    補助流入孔
３２    補助流出孔
３０    下部排出部
【図１】
2018501824.tif 000003
【図２】
2018501824.tif 000004
【図３】
2018501824.tif 000005
【図４】
2018501824.tif 000006
【図５】
2018501824.tif 000007
【図６】
2018501824.tif 000008
【図７】
2018501824.tif 000009
【図８】
2018501824.tif 000010
【図９】
2018501824.tif 000011
【図１０】
2018501824.tif 000012
【図１１】
2018501824.tif 000013
【図１２】
2018501824.tif 000014
【図１３】
2018501824.tif 000015
【図１４】
2018501824.tif 000016
【図１５】
2018501824.tif 000017
【国際調査報告】
2018501824.tif 000018
2018501824.tif 000019
2018501824.tif 000020
2018501824.tif 000021